(57)【要約】【課題】消費電力を低減することができるとともに、薄型化および装置コストの低減を図ることが可能で、かつ、メンテナンス性に優れたアンドン情報表示装置を提供する。【解決手段】それぞれ直線状に配置された複数のＬＥＤ４ａ〜４ｄと、ＬＥＤ４ａ〜４ｄの有効視野角内に設置され、ＬＥＤ４ａ〜４ｄからの光を長楕円状に拡散反射するための拡散反射板５ａおよび５ｂと、投光方向に配置され、拡散反射板５ａおよび５ｂによって拡散反射された光をそれぞれ投光方向に拡散させるための拡散フィルタ６ａおよび６ｂとを備えている。【選択図】図１
2004101778.tif 000002
【特許請求の範囲】
【請求項１】
生産ラインの各工程での異常の有無に関する情報を表示するアンドン情報表示装置であって、
直線状に配置された複数のＬＥＤと、
前記ＬＥＤの有効視野角内に設置され、前記ＬＥＤからの光を長楕円状に拡散反射するための拡散反射部材と、
投光方向に配置され、前記拡散反射部材によって拡散反射された光を前記投光方向に拡散させるための拡散フィルタとを備えた、アンドン情報表示装置。
【請求項２】
裸電球取り付け用の電球ソケットと、
前記電球ソケットに取り付けられる口金部分と前記ＬＥＤに電力を供給するための電源線とを含む電源線ユニットとをさらに備える、請求項１に記載のアンドン情報表示装置。
【請求項３】
前記拡散フィルタの外面には、文字が記載されている、請求項１または２に記載のアンドン情報表示装置。
【請求項４】
前記ＬＥＤは、
直線状に配置された複数の第１ＬＥＤと、
前記第１ＬＥＤと所定の間隔を隔てて配置され、直線状に配置された複数の第２ＬＥＤとを含み、
前記拡散反射部材は、
前記第１ＬＥＤからの光を前記拡散フィルタに向かって拡散反射するための第１の拡散反射面と、
前記第２ＬＥＤからの光を前記拡散フィルタと同一の拡散フィルタに向かって拡散反射するための第２の拡散反射面とを含む、請求項１〜３のいずれか１項に記載のアンドン情報表示装置。
【発明の詳細な説明】
【０００１】
【発明の属する技術分野】
この発明は、アンドン情報表示装置に関し、より特定的には、生産ラインの各工程での異常の有無に関する情報を表示するアンドン情報表示装置に関する。
【０００２】
【従来の技術】
従来、工場の生産ラインの各工程での異常の有無に関する情報表示を行うものとして、アンドン情報表示装置が知られている。従来のアンドン情報表示装置では、一般に、裸電球を光源として使用して投光するとともに、拡散フィルタを用いて均一に照光させている。
【０００３】
図１３は、従来のアンドン情報表示装置を示した平面透過図であり、図１４は、従来のアンドン情報表示装置を示した正面透過図である。図１３および図１４を参照して、従来のアンドン情報表示装置１００は、ケース１０１の両面に拡散フィルタ１０４ａおよび１０４ｂが設置されている。そして、ケース１０１の底面には、電球ソケット１０２が設置されている。この電球ソケット１０２には、口金部分１０３ａを有する裸電球１０３が装着されている。
【０００４】
従来では、図１３および図１４に示したアンドン情報表示装置１００を、マトリックス状に複数配置することによって、複数の工程（複数の機械）における異常の有無に関する情報を表示していた。
【０００５】
上記した従来の裸電球１０３を使用したアンドン情報表示装置１００では、裸電球１０３の寿命が短い（約２０００時間）ため、頻繁に電球交換のメンテナンスを行う必要があるという不都合があった。また、アンドン情報表示装置１００は、高所に取り付けられている場合が多いため、電球交換のメンテナンスを容易に行うことが困難であるという不都合もあった。このため、従来の裸電球１０３を使用したアンドン情報表示装置１００では、メンテナンス性が著しく悪いという問題点があった。
【０００６】
また、裸電球１０３の代わりに、裸電球１０３よりも寿命が長い電球形蛍光灯を使用することも考えられる。しかし、電球形蛍光灯の場合、繰り返し点灯／点滅させて情報を報知させる使用方法の場合に、スイッチオンから点灯までにタイムラグが生じるという不都合があるため、このような使用方法において電球形蛍光灯を用いるのは困難であるという問題点がある。また、電球形蛍光灯の寿命は、約６０００時間であるため、裸電球１０３に比べてある程度はメンテナンス（光源の交換）の周期を伸ばすことが可能である。しかしながら、２４時間稼動している工場で生産ライン毎にアンドン情報表示装置を使用している工場現場などでは、より光源の交換周期の長いものが求められている。
【０００７】
そこで、従来、より寿命の長いＬＥＤをマトリックス状に配置するとともに、そのマトリックス状に配置したＬＥＤの光軸を透過フィルタに対峙させる構造も提案されている（たとえば、特許文献１参照）。
【０００８】
【特許文献１】
特開平６−２２２７４９号公報（段落番号００１３、図３）
【発明が解決しようとする課題】
しかしながら、上記したＬＥＤの光軸を透過フィルタに対峙させる構造では、均一に、かつ、明るく点灯させるためには、多くのＬＥＤを配置する必要があるため、消費電力が増加するとともに、装置が大型化するという問題点があった。また、多くのＬＥＤを配置すると、装置コストが上昇するという問題点もあった。
【０００９】
この発明は上記のような課題を解決するためになされたものであり、
この発明の１つの目的は、消費電力を低減するとともに、小型化（薄型化）および装置コストの低減を図ることが可能で、かつ、メンテナンス性に優れたアンドン情報表示装置を提供することである。
【００１０】
この発明のもう１つの目的は、上記のアンドン情報表示装置において、従来の裸電球取り付け用のアンドン情報表示装置を本発明のアンドン情報表示装置に流用することである。
【００１１】
【課題を解決するための手段】
上記目的を達成するために、この発明の一の局面によるアンドン情報表示装置は、生産ラインの各工程での異常の有無に関する情報を表示するアンドン情報表示装置であって、直線状に配置された複数のＬＥＤと、ＬＥＤの有効視野角内に設置され、ＬＥＤからの光を長楕円状に拡散反射するための拡散反射部材と、投光方向に配置され、拡散反射部材によって拡散反射された光を投光方向に拡散させるための拡散フィルタとを備えている。
【００１２】
この一の局面によるアンドン情報表示装置では、上記のように、直線状に配置された複数のＬＥＤの有効視野角内に、ＬＥＤからの光を長楕円状に拡散反射するための拡散反射部材を設けるとともに、その拡散反射部材によって拡散反射された光を投光方向に拡散させるための拡散フィルタを設けることによって、ＬＥＤからの光が拡散反射部材により拡散反射された後、さらに拡散フィルタにより拡散されるので、容易に、少ないＬＥＤで投光面を均一に点灯させることができる。これにより、ＬＥＤの個数を少なくすることができるので、消費電力を低減することができるとともに、薄型化（小型化）および装置コストの低減を図ることができる。また、光源として、裸電球や電球形蛍光灯に比べて３倍以上寿命の長いＬＥＤを使用することによって、メンテナンス（光源の交換）の周期を延ばすことができる。これにより、高所に設置される場合が多いためにメンテナンスが容易でないアンドン情報表示装置において、メンテナンス性を著しく向上させることができる。
【００１３】
上記一の局面によるアンドン情報表示装置において、好ましくは、裸電球取り付け用の電球ソケットと、電球ソケットに取り付けられる口金部分とＬＥＤに電力を供給するための電源線とを含む電源線ユニットとをさらに備える。このように構成すれば、裸電球取り付け用のアンドン情報表示装置にも、光源として裸電球の代わりにＬＥＤを用いることができるので、従来の裸電球取り付け用のアンドン情報表示装置が既に設置されている場合に、その裸電球取り付け用のアンドン情報表示装置を廃棄することなく、本発明のＬＥＤを光源とするアンドン情報表示装置として流用することができる。
【００１４】
上記のアンドン情報表示装置において、好ましくは、拡散フィルタの外面には、文字が記載されている。このように構成すれば、異常のある機械を特定する文字などを記載することにより、容易に、異常のある機械を特定して表示することができる。
【００１５】
上記のアンドン情報表示装置において、好ましくは、ＬＥＤは、直線状に配置された複数の第１ＬＥＤと、第１ＬＥＤと所定の間隔を隔てて配置され、直線状に配置された複数の第２ＬＥＤとを含み、拡散反射部材は、第１ＬＥＤからの光を拡散フィルタに向かって拡散反射するための第１の拡散反射面と、第２ＬＥＤからの光を拡散フィルタと同一の拡散フィルタに向かって拡散反射するための第２の拡散反射面とを含む。このように構成すれば、第１および第２ＬＥＤと、第１および第２拡散反射面を有する１つの拡散反射部材とを用いて、容易に、１つの拡散フィルタに光を均一に投光することができる。
【００１６】
【発明の実施の形態】
以下、本発明を具体化した実施形態を図面に基づいて説明する。
【００１７】
（第１実施形態）
図１は、本発明の第１実施形態によるアンドン情報表示装置を示した平面透視図であり、図２は、本発明の第１実施形態によるアンドン情報表示装置を示した正面透視図である。また、図３は、本発明の第１実施形態によるアンドン情報表示装置を示した平面図であり、図４は、本発明の第１実施形態によるアンドン情報表示装置を示した正面図である。図５は、本発明の第１実施形態によるアンドン情報表示装置を示した側面図である。また、図６は、本発明の第１実施形態によるアンドン情報表示装置のＬＥＤからの光を拡散反射板により拡散反射させた状態を示した概略図である。
【００１８】
まず、図１〜図５を参照して、第１実施形態によるアンドン情報表示装置１０の構造について説明する。この第１実施形態によるアンドン情報表示装置１０は、金属などからなるケース１の底面に、電源用プリント基板２が設置されている。また、ケース１の内部には、４つのＬＥＤプリント基板３ａ、３ｂ、３ｃおよび３ｄが設置されている。ＬＥＤプリント基板３ａ、３ｂ、３ｃおよび３ｄには、ＬＥＤ４ａ、４ｂ、４ｃおよび４ｄが、それぞれ複数直線状に所定の間隔を隔てて取り付けられている。また、ＬＥＤ４ａおよび４ｃは、同時に点灯または点滅するように制御され、ＬＥＤ４ｂおよび４ｄは、同時に点灯または点滅するように制御される。なお、ＬＥＤ４ａおよび４ｂは、本発明の「第１ＬＥＤ」の一例であり、ＬＥＤ４ｃおよび４ｄは、本発明の「第２ＬＥＤ」の一例である。
【００１９】
また、ケース１内には、ＬＥＤ４ａおよび４ｃを拡散反射するための拡散反射板５ａが設置されている。この拡散反射板５ａは、鉄板の表面に、微細な波目状のヘアラインが設けられたアルミシートが貼付された構造を有する。この波目状のヘアラインが設けられたアルミシートによって、ＬＥＤ４ａおよび４ｃからの光が拡散および反射される。また、拡散反射板５ａの拡散反射面５１ａは、ＬＥＤ４ａからの光の有効視野角内に配置されている。また、拡散反射板５ａの拡散反射面５２ａは、ＬＥＤ４ｃからの光の有効視野角内に配置されている。これにより、ＬＥＤ４ｃからの光（円錐状の光）は、図６に示すように、拡散反射板５ａの拡散反射面５２ａによって、長楕円状に拡散反射される。なお、ＬＥＤ４ａ〜４ｄは、約１５°の広がり角度を有する。
【００２０】
また、ケース１内には、ＬＥＤ４ｂおよび４ｄからの光をそれぞれ長楕円状に拡散反射するための拡散反射面５１ｂおよび５２ｂを有する拡散反射板５ｂが設置されている。この拡散反射板５ｂも、拡散反射板５ａと同様、鉄板にヘアライン入りのアルミシートを貼付したものを用いる。なお、拡散反射板５ａおよび５ｂは、本発明の「拡散反射部材」の一例である。また、拡散反射面５１ａおよび５１ｂは、本発明の「第１拡散反射面」の一例であり、拡散反射面５２ａおよび５２ｂは、本発明の「第２拡散反射面」の一例である。
【００２１】
また、拡散反射板５ａによって拡散反射された光を拡散させるための拡散フィルタ６ａが、ケース１の一方の面にねじ７ａ（図３参照）により取り付けられている。また、拡散反射板５ｂによって拡散反射された光を拡散させるための拡散フィルタ６ｂが、ケース１の他方の面にねじ７ｂにより取り付けられている。また、拡散フィルタ６ａおよび６ｂは、色付きの半透明な樹脂で光をある程度透過する樹脂（たとえば、色付きのアクリル樹脂）によって形成されている。この半透明な樹脂からなる拡散フィルタ６ａおよび６ｂによって、光が拡散される。
【００２２】
また、拡散フィルタ６ａおよび６ｂには、それぞれ、生産ラインの各工程（各機械）の異常の情報を表示するための文字が記載されている。たとえば、図４に示すように、拡散フィルタ６ｂの外面には、第１番目のＮＣ工作機械に異常があった場合に表示する「ＮＣ１」という文字が記載されている。
【００２３】
実際の生産ラインにおけるアンドン情報表示装置では、図１〜図５に示した第１実施形態によるアンドン情報表示装置１０が、図７に示すように、マトリックス状に複数配置されて構成されている。この場合、各アンドン情報表示装置１０には、生産ラインの各工程（各機械）を特定する文字が記載されている。
【００２４】
第１実施形態によるアンドン情報表示装置１０では、上記のように、それぞれ直線状に複数配置されたＬＥＤ４ａ〜４ｄの有効視野角内に、ＬＥＤ４ａ〜４ｄからの光を長楕円状に拡散反射するための拡散反射板５ａおよび５ｂを設けるとともに、その拡散反射板５ａおよび５ｂによって拡散反射された光を投光方向に拡散させるための拡散フィルタ６ａおよび６ｂを設けることによって、ＬＥＤ４ａ〜４ｄからの光が拡散反射板５ａおよび５ｂにより拡散反射された後、さらに拡散フィルタ６ａおよび６ｂにより拡散されるので、容易に、少ないＬＥＤ４ａ〜４ｄの個数で投光面を均一に点灯させることができる。これにより、ＬＥＤ４ａ〜４ｄの個数を少なくすることができるので、消費電力を低減することができるとともに、薄型化（小型化）および装置コストの低減を図ることができる。
【００２５】
また、第１実施形態では、光源として、裸電球や電球形蛍光灯に比べて３倍以上寿命の長いＬＥＤ４ａ〜４ｄを使用することによって、メンテナンス（光源の交換）の周期を延ばすことができる。これにより、高所に設置される場合が多いためにメンテナンスが容易でないアンドン情報表示装置１０において、メンテナンス性を著しく向上させることができる。
【００２６】
（第２実施形態）
図８は、本発明の第２実施形態によるアンドン情報表示装置を示した平面透過図であり、図９は、本発明の第２実施形態によるアンドン情報表示装置を示した正面透過図である。また、図１０は、本発明の第２実施形態によるアンドン情報表示装置を示した平面図であり、図１１は、本発明の第２実施形態によるアンドン情報表示装置を示した正面図である。図１２は、本発明の第２実施形態によるアンドン情報表示装置を示した側面図である。図８〜図１２を参照して、この第２実施形態では、上記第１実施形態と異なり、従来の裸電球取り付け用のアンドン情報表示装置を本発明のＬＥＤを光源とするアンドン情報表示装置２０に流用する場合について説明する。
【００２７】
この第２実施形態によるアンドン情報表示装置２０では、金属などからなるケース２１内に、上記した第１実施形態と同様、４つのＬＥＤプリント基板２３ａ、２３ｂ、２３ｃおよび２３ｄが設置されている。ＬＥＤプリント基板２３ａ、２３ｂ、２３ｃおよび２３ｄには、ＬＥＤ２４ａ、２４ｂ、２４ｃおよび２４ｄが、それぞれ複数直線状に所定の間隔を隔てて取り付けられている。また、ＬＥＤ２４ａおよび２４ｃは、同時に点灯または点滅するように制御され、ＬＥＤ２４ｂおよび２４ｄは、同時に点灯または点滅するように制御される。なお、ＬＥＤ２４ａおよび２４ｂは、本発明の「第１ＬＥＤ」の一例であり、ＬＥＤ２４ｃおよび２４ｄは、本発明の「第２ＬＥＤ」の一例である。
【００２８】
また、ケース２１内には、ＬＥＤ２４ａおよび２４ｃからの光をそれぞれ長楕円状に拡散反射する拡散反射面２５１ａおよび２５２ａを有する拡散反射板２５ａが設置されている。また、ケース２１内には、ＬＥＤ２４ｂおよび２４ｄからの光をそれぞれ長楕円状に拡散反射する拡散反射面２５１ｂおよび２５２ｂを有する拡散反射板２５ｂが設置されている。なお、拡散反射板２５ａおよび２５ｂは、本発明の「拡散反射部材」の一例である。また、拡散反射面２５１ａおよび２５１ｂは、本発明の「第１拡散反射面」の一例であり、拡散反射面２５２ａおよび２５２ｂは、本発明の「第２拡散反射面」の一例である。
【００２９】
拡散反射板２５ａおよび２５ｂは、鉄板に波目状のヘアラインが設けられたアルミシートを貼付することによって形成される。また、拡散反射板２５ａによって拡散反射された光を拡散するための拡散フィルタ２６ａが、ケース２１に対してねじ２７ａ（図１０参照）により取り付けられている。また、拡散反射板２５ｂによって拡散反射された光を拡散するための拡散フィルタ２６ｂが、ケース２１に対してねじ２７ｂにより取り付けられている。
【００３０】
なお、拡散フィルタ２６ａおよび２６ｂは、色付の半透明な樹脂で光をある程度透過可能な樹脂（たとえば、色付きのアクリル樹脂）によって形成されている。この半透明な樹脂からなる拡散フィルタ２６ａおよび２６ｂによって、光が拡散される。また、拡散フィルタ２６ａおよび２６ｂの外面には、生産ラインの各工程（各機械）での異常を特定する、図１１に示すような文字「ＮＣ１」が記載されている。
【００３１】
ここで、第２実施形態では、ケース２１の底面に、電球ソケット２２が設けられているとともに、電球ソケット２２に取り付け可能な口金部分２８ａを有する電源線ユニット２８が、電球ソケット２２に装着されている。電源線ユニット２８からの電源線３０は、ＬＥＤプリント基板２３ｂに設けられたコネクタ２９に接続されている。また、電源線ユニット２８からの電源線３１は、ＬＥＤプリント基板２３ｃに設けられたコネクタ（図示せず）に接続されている。また、ＬＥＤプリント基板２３ｂとＬＥＤプリント基板２３ｄとは、接続配線３２によって接続されている。また、ＬＥＤプリント基板２３ａとＬＥＤプリント基板２３ｃとは、接続配線３３によって接続されている。
【００３２】
第２実施形態によるアンドン情報表示装置２０では、上記のように、裸電球取り付け用の電球ソケット２２と、その電球ソケット２２に取り付けられる口金部分２８ａとＬＥＤプリント基板２３ｂおよび２３ｃに接続される電源線３０および３１とを含む電源線ユニット２８とを設けることによって、裸電球取り付け用のアンドン情報表示装置にも、光源として裸電球の代わりにＬＥＤ２４ａ〜２４ｄを用いることができる。これにより、従来の裸電球取り付け用のアンドン情報表示装置が既に設置されている場合に、その裸電球取り付け用のアンドン情報表示装置を廃棄することなく、ＬＥＤ２４ａ〜２４ｄを光源とする第２実施形態によるアンドン情報表示装置２０として流用することができる。
【００３３】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００３４】
たとえば、上記実施形態では、ケースの両面に拡散フィルタを配置して両面に表示するアンドン情報表示装置を示したが、本発明はこれに限らず、ケースの片面のみに拡散フィルタを配置して片面のみ表示するアンドン情報表示装置であってもよい。この場合には、ＬＥＤを直線状に２列配置するとともに、それらのＬＥＤからの光を拡散反射するための拡散反射板を１つ配置すればよい。
【００３５】
【発明の効果】
以上のように、本発明によれば、消費電力を低減することができるとともに、薄型化および装置コストの低減を図ることが可能で、かつ、メンテナンス性に優れたアンドン情報表示装置を提供することができる。
【図面の簡単な説明】
【図１】本発明の第１実施形態によるアンドン情報表示装置を示した平面透視図である。
【図２】本発明の第１実施形態によるアンドン情報表示装置を示した正面透視図である。
【図３】本発明の第１実施形態によるアンドン情報表示装置を示した平面図である。
【図４】本発明の第１実施形態によるアンドン情報表示装置を示した正面図である。
【図５】本発明の第１実施形態によるアンドン情報表示装置を示した側面図である。
【図６】本発明の第１実施形態によるアンドン情報表示装置のＬＥＤからの光を拡散反射板により拡散反射させた状態を示した概略図である。
【図７】図１に示した第１実施形態によるアンドン情報表示灯がマトリックス状に配置された場合を示した概略図である。
【図８】本発明の第２実施形態によるアンドン情報表示装置を示した平面透過図である。
【図９】本発明の第２実施形態によるアンドン情報表示装置を示した正面透過図である。
【図１０】本発明の第２実施形態によるアンドン情報表示装置を示した平面図である。
【図１１】本発明の第２実施形態によるアンドン情報表示装置を示した正面図である。
【図１２】本発明の第２実施形態によるアンドン情報表示装置を示した側面図である。
【図１３】従来のアンドン情報表示装置を示した平面透過図である。
【図１４】従来のアンドン情報表示装置を示した正面透過図である。
【符号の説明】
１、２１　ケース
３ａ〜３ｄ、２３ａ〜２３ｄ　ＬＥＤプリント基板
４ａ、４ｂ、２４ａ、２４ｂ　ＬＥＤ（第１ＬＥＤ）
４ｃ、４ｄ、２４ｃ、２４ｄ　ＬＥＤ（第２ＬＥＤ）
５ａ、５ｂ、２５ａ、２５ｂ　拡散反射板（拡散反射部材）
２２　電球ソケット
２８　電源線ユニット
２８ａ　口金部分
３０、３１　電源線
５１ａ、５１ｂ、２５１ａ、２５１ｂ　拡散反射面（第１拡散反射面）
５２ａ、５２ｂ、２５２ａ、２５２ｂ　拡散反射面（第２拡散反射面）
【図１】
2004101778.tif 000003
【図２】
2004101778.tif 000004
【図３】
2004101778.tif 000005
【図４】
2004101778.tif 000006
【図５】
2004101778.tif 000007
【図６】
2004101778.tif 000008
【図７】
2004101778.tif 000009
【図８】
2004101778.tif 000010
【図９】
2004101778.tif 000011
【図１０】
2004101778.tif 000012
【図１１】
2004101778.tif 000013
【図１２】
2004101778.tif 000014
【図１３】
2004101778.tif 000015
【図１４】
2004101778.tif 000016